(57)【要約】【課題】  撮像を的確に視認可能とし、かつカメラでの撮像を所望の箇所に容易に合致可能とする。【解決手段】  表示装置１は、可動式カメラユニット３で撮影された映像をリアルタイム表示する。可動式カメラユニット３は、撮影対象物を拡大表示する際には、表示装置１の真下（真裏）を映し出すように光軸を機械的に稼動し、対象物まで一定距離を保つよう自動調整される。演算処理装置５は、可動式カメラユニット３で撮影された、歪んだ画像を、台形補正等のソフトウェアにより画像処理を実行することで、撮像画像が適正になるように修正する。【選択図】    図１
2006129033.tif 000002
【特許請求の範囲】
【請求項１】
画像を撮像する撮像手段と前記撮像手段により撮像された画像を表示する表示手段とを具備し、前記撮像手段と前記表示手段とが筐体の表裏に配置された電子機器において、
前記撮像手段の光軸方向を変更する光軸変更手段を具備することを特徴とする電子機器。
【請求項２】
前記光軸変更手段は、近接撮影において、前記表示手段の裏側の中心部に前記撮像手段の光軸を向けることを特徴とする請求項１記載の電子機器。
【請求項３】
前記撮像手段は、前記撮像手段の光軸と前記表示手段の表示画面を含む面との交点が前記表示画面の中心から外れるように配設されていることを特徴とする請求項１または２記載の電子機器。
【請求項４】
前記交点は、前記表示画面内に存在しないことを特徴とする請求項１ないし３のいずれかに一記載の電子機器。
【請求項５】
前記撮像手段により撮像された画像の歪みを補正する補正手段を具備することを特徴とする請求項１ないし４のいずれか一に記載の電子機器。
【請求項６】
前記撮像手段は、前記近接撮像における撮像対象までの焦点距離を１０ｃｍ以下とすることを特徴とする請求項１ないし５のいずれか一に記載の電子機器。
【請求項７】
前記撮像をテキスト文字へ変換する変換手段を有することを特徴とする請求項１ないし６のいずれか一に記載の電子機器。
【請求項８】
画像を撮像する撮像手段と撮像された画像を表示する表示手段とが筐体の表裏に配置された電子機器の撮影方法において、
近接撮影において、前記表示手段の裏側の中心部に前記撮像手段の光軸を向けることを特徴とする撮影方法。
【請求項９】
前記撮像手段により撮像された画像の歪みを補正することを特徴とする請求項８記載の撮影方法。
【発明の詳細な説明】
【技術分野】
【０００１】
本発明は、デジタルカメラや携帯電話等に係る電子機器および撮影方法に関する。
【背景技術】
【０００２】
近年、デジタルカメラや携帯電話等に代表される電子機器は、年代を問わず広く普及し、カメラ等を中心として多彩な機能を搭載するモデルが出始めている。例えば、写真等の使用を目的としたマクロ撮影モードでのフォーカス時の視認性の向上を果たす技術が提案されている（例えば特許文献１参照）。
【特許文献１】特開２００４−２００８４６号公報
【発明の開示】
【発明が解決しようとする課題】
【０００３】
しかしながら、上述した従来技術では、カメラで撮影した文字情報を表示画面で確認する場合、カメラの光軸と撮影対象面とが垂直でない場合、表示する撮像が歪んで表示されてしまうという問題があった。また、カメラ１００の光軸１０と表示装置１０１の画面に対する視軸とが、図７（ａ）〜（ｃ）に示すようにずれているので、表示画面を見ながら、図８（ａ）に示すように、表示画面内に撮像画像を表示しようとしても、図８（ｂ）に示すように、カメラ１００での撮像を所望の箇所に合わせることが困難であったという問題がある。
【０００４】
本発明は、このような事情を考慮してなされたものであり、その目的は、カメラと撮影対象面との角度、カメラと表示画面との距離に依存することなく、撮像を的確に視認することができ、かつカメラでの撮像を所望の箇所に容易に合わせることができる電子機器および撮影方法を提供することにある。
【課題を解決するための手段】
【０００５】
上述した課題を解決するために、本発明は、画像を撮像する撮像手段と前記撮像手段により撮像された画像を表示する表示手段とを具備し、前記撮像手段と前記表示手段とが筐体の表裏に配置された電子機器において、前記撮像手段の光軸方向を変更する光軸変更手段を具備することを特徴とする。
【０００６】
本発明は、上記の発明において、前記光軸変更手段は、近接撮影において、前記表示手段の裏側の中心部に前記撮像手段の光軸を向けることを特徴とする。
【０００７】
本発明は、上記の発明において、前記撮像手段は、前記撮像手段の光軸と前記表示手段の表示画面を含む面との交点が前記表示画面の中心から外れるように配設されていることを特徴とする。
【０００８】
本発明は、上記の発明において、前記交点は、前記表示画面内に存在しないことを特徴とする。
【０００９】
本発明は、上記の発明において、前記撮像手段により撮像された画像の歪みを補正する補正手段を具備することを特徴とする。
【００１０】
本発明は、上記の発明において、前記撮像手段は、前記近接撮像における撮像対象までの焦点距離を１０ｃｍ以下の至近距離とすることを特徴とする。特に、手に持って操作する、拡大鏡のような使用方法では、撮像対象までの距離が近くなり、所望の箇所に合わせる事を容易にすることが困難になり易いが、本願により解決することができる。ここで、最小焦点距離は例えば５ｍｍ以上とすることができる。
【００１１】
上述した課題を解決するために、本発明は、画像を撮像する撮像手段と撮像された画像を表示する表示手段とが筐体の表裏に配置された電子機器の撮影方法において、近接撮影において、前記表示手段の裏側の中心部に前記撮像手段の光軸を向けることを特徴とする。
【００１２】
本発明は、上記の発明において、前記撮像手段により撮像された画像の歪みを補正することを特徴とする。
【発明の効果】
【００１３】
この発明によれば、光軸変更手段によって、撮影時に、画像を撮像する撮像手段の光軸方向を変更する。したがって、カメラと撮影対象面との角度、カメラと表示画面との距離に依存することなく、撮像を的確に視認することができ、かつカメラでの撮像を所望の箇所に容易に合わせることができるという利点が得られる。
【発明を実施するための最良の形態】
【００１４】
以下、本発明の一実施形態によるカメラ付携帯電話を、図面を参照して説明する。
図１は、本発明の実施形態によるカメラ付携帯電話を示すブロック図である。また、図２は、本実施形態によるカメラ付携帯電話での撮影時におけるカメラと撮像対象物との位置関係を示す模式図であり、図３は、本実施形態によるカメラ付携帯電話での撮像画像に対する画像処理を示す概念図である。
【００１５】
図において、表示装置１は、液晶表示装置などからなり、後述する可動式カメラユニットで撮影された映像をリアルタイム表示する。入力装置２は、撮影に係るシャッタキーや、各種機能キーなどからなる。可動式カメラユニット３は、レンズ等の光学系やＣＣＤ等の撮像素子などからなり、撮影対象物を拡大表示する際には、表示装置１の真下（真裏）を映し出すように光軸を機械的等により稼動可能になっており、対象物まで一定距離を保つよう自動調整される（例えば、図２（ａ）、（ｂ）に示すように、表示装置１の裏面から３ｃｍなど）。なお、対象物までの距離を固定しない場合には、別途、図示しない赤外線や光学的な測定装置で自動調整するようにしてもよい。
【００１６】
データ記録装置４は、撮影に伴う各種データを記憶したり、撮像画像の一時バッファなどに用いられる。演算処理装置５は、可動式カメラユニット３により撮像された撮像画像に対して画像処理を施す。特に、本実施形態では、図２（ａ）、（ｂ）に示すいずれの撮影形態であっても、可動式カメラユニット３の光軸の方向を１０−１から１０−２へ変更し表示装置１の真下（真裏）を映し出すように、機械的に稼動されて撮像されるので、撮像された画像は、図３（ａ）に示すように、歪んでしまう。そこで、演算処理装置５は、台形補正等（例えば、撮像対象の文字の外郭を測定して台形と判断した場合には、矩形等へ撮像を補正すること）のソフトウェアにより、撮像された画像に対して画像処理を実行することで、撮像画像が図３（ｂ）に示すように、適正になるように修正する。
【００１７】
ＲＦ装置６は、無線通信により通信ネットワーク７を介して、ネットワーク上のコンテンツプロバイダサーバ８に接続し、該サーバ８との間で各種データを送受信する。通信ネットワーク７は、インターネットなどの通信回線網である。コンテンツプロバイダサーバ８は、ネットワーク上のサーバであり、特に、本実施形態では、辞書コンテンツを提供する。該辞書コンテンツは、与えられた文字イメージに対して該文字イメージの意味を提供するものである。
【００１８】
次に、上述した実施形態の動作について説明する。ここで、図４ないし図６は、本実施形態によるカメラ付携帯電話の動作を説明するためのフローチャートである。ユーザが拡大鏡機能を起動すると、まず、拡大鏡モードへの切替入力を行う（Ｓ１０）。次に、可動式カメラユニット３を稼動し、表示装置１の真下を撮影するように、カメラ初期値へ展開する（Ｓ１１）。次に、ユーザの操作により、対象物の位置に合わせ、ズーム倍率などを設定し（Ｓ１２）、対象物の位置合わせ、ズーム倍率などを設定すべく、ズーム入力（Ｓ１３）、ズーム処理を実行する（Ｓ１４）。
【００１９】
次に、撮像した文字イメージからテキスト文字（文字コード）へ変換するＯＣＲ機能を利用するか否かを判断し（Ｓ１５）、ユーザによりＯＣＲ機能を利用しないと指示された場合には、図６（ａ）に示す画像から図６（ｂ）に示す画像になるように、歪んだ撮像画像のゆがみを補正し、拡大する画像処理を施し（Ｓ１６）、表示装置１に表示する（Ｓ１７）。
【００２０】
一方、ユーザによりＯＣＲ機能を利用すると指示された場合には、ユーザにより表示画面を見ながら読み取る文字が撮像されるように、テキスト読取位置を合わせながら、正しく読み取れるまで繰り返す（Ｓ１８〜Ｓ２０）。そして、文字が正しく読み取れると、読み取った文字イメージからテキスト文字へ変換するために、内蔵辞書機能を利用するか否かを判断し（Ｓ２１）、内蔵辞書を利用する場合には、該当語句を内蔵辞書に照会する処理を実行し（Ｓ２２）、一致するものがあったか否かを判断する（Ｓ２３）。そして、読み取った文字イメージと一致する文字があった場合には、該当意味データを返信し（Ｓ２４）、所定のデータ処理を行い（Ｓ２５）、該当意味を表示装置１に表示する（Ｓ２６）。
【００２１】
一方、内蔵辞書に一致するものがなかった場合には、該当なし判定を返信し（Ｓ２７）、所定のデータ処理を行い（Ｓ２８）、「該当なし」という判定結果を表示装置１に表示する（Ｓ２９）。
【００２２】
また、内蔵辞書を利用しない場合には、ＲＦ装置６により、通信ネットワーク７を介してコンテンツプロバイダサーバ８とデータ通信を開始し（Ｓ３０）、該当語句をサーバ８に照会する処理を実行する（Ｓ３１）。サーバ８では、一致するものがあったか否かを判断し（Ｓ３２）、読み取った文字イメージと一致する文字があった場合には、カメラ付携帯電話へ該当意味データを返信する（Ｓ３３）。カメラ付携帯電話では、サーバ８から意味データを受信すると、所定のデータ処理を行い（Ｓ３４）、該当意味を表示装置１に表示する（Ｓ３５）。
【００２３】
一方、サーバ８において、一致するものがなかった場合には、カメラ付携帯電話へ該当なし判定を返信する（Ｓ３６）。カメラ付携帯電話では、「該当なし」という判定結果に対して所定のデータ処理を行い（Ｓ３７）、「該当なし」という判定結果を表示装置１に表示する（Ｓ３８）。
【００２４】
上述した実施形態では、撮像対象が文字や記号等のデータである場合、撮像対象を確認し易く、文字情報を読み取るいわゆるＯＣＲ機能作動時にも的確に読み取ることが可能となる。また、カメラと表示画面の背中合わせとならないような、カメラと表示画面との距離がある場合にも、適用することができ、カメラと表示画面の配置の自由度を高めることが可能となり、拡大鏡としての利便性を向上させることが可能となる。
【００２５】
なお、上述した実施形態においては、演算処理装置５は、コンピュータシステム内で実行される。そして、上述した演算処理装置５による一連の処理の過程は、プログラムの形式でコンピュータ読み取り可能な記録媒体に記憶されており、このプログラムをコンピュータが読み出して実行することによって、上記処理が行われる。すなわち、演算処理装置５は、ＣＰＵ等の中央演算処理装置がＲＯＭやＲＡＭ等の主記憶装置に上記プログラムを読み出して、情報の加工・演算処理を実行することにより、実現されるものである。
【００２６】
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
また、本実施形態では、情報端末について説明したが、これに限らず、携帯電話機、モバイル端末、ＰＤＡなどに適用してもよい。
【図面の簡単な説明】
【００２７】
【図１】本発明の実施形態によるカメラ付携帯電話を示すブロック図である。
【図２】本実施形態によるカメラ付携帯電話での撮影時におけるカメラと撮像対象物との位置関係を示す模式図である。
【図３】本実施形態によるカメラ付携帯電話での撮像画像に対する画像処理を示す概念図である。
【図４】本実施形態によるカメラ付携帯電話の動作を説明するためのフローチャートである。
【図５】本実施形態によるカメラ付携帯電話の動作を説明するためのフローチャートである。
【図６】本実施形態によるカメラ付携帯電話の動作を説明するためのフローチャートである。
【図７】従来技術によるカメラ付携帯電話の使用形態を説明するための模式図である。
【図８】従来技術によるカメラ付携帯電話での撮像映像を説明するための模式図である。
【符号の説明】
【００２８】
１  表示装置（表示手段）
２  入力装置
３  可動式カメラユニット（撮像手段、光軸変更手段）
４  データ記録装置
５  演算処理装置（補正手段）
６  ＲＦ装置
７  通信ネットワーク
８  コンテンツプロバイダサーバ
【図１】
2006129033.tif 000003
【図２】
2006129033.tif 000004
【図３】
2006129033.tif 000005
【図４】
2006129033.tif 000006
【図５】
2006129033.tif 000007
【図６】
2006129033.tif 000008
【図７】
2006129033.tif 000009
【図８】
2006129033.tif 000010